【手続補正書】
【提出日】平成19年11月1日(2007.11.1)
【手続補正１】
【補正対象書類名】特許請求の範囲
【補正対象項目名】全文
【補正方法】変更
【補正の内容】
【特許請求の範囲】
【請求項１】
第一の血管が第二の血管に交わる血管分岐部の治療のための装置であって、
前記装置は、前記血管分岐部に配置されるためのバルーンを有していて、
前記バルーンは、
第一の膨張特性を有し前記第一の血管中に配置されるようにされた第一の部分と、
前記第一の膨張特性とは異なる第二の膨張特性を有し前記第二の血管に配置されるようにされた第二の部分と、を有する装置。
【請求項２】
前記第二の部分は、バルーンが膨張されるときに、前記第一の部分から半径方向に突出するようにされた、請求項１に記載の装置。
【請求項３】
前記第二の部分は、前記バルーンの部分的な膨張時に、前記バルーンを前記血管分岐部に容易に一直線にするために、第二の血管中に伸びるようにされた、請求項２に記載の装置。
【請求項４】
前記第二の部分は、前記第二の部分が前記第二の血管中に伸びるように、前記バルーンの膨張時に開くようにされた、扇形褶曲を有している、請求項２に記載の装置。
【請求項５】
前記バルーンが収縮されたときに、少なくとも前記第二の部分の一部が、前記第一の部分の内側に包含されて、
前記第二の部分が、前記バルーンの膨張時に前記第一の部分から外側に伸びるようにされた、請求項２に記載の装置。
【請求項６】
前記バルーンの収縮時に、前記第一の部分に対して半径方向に前記第二の部分を退避するように、前記第二の部分と連結される退避装置を有する、請求項２に記載の装置。
【請求項７】
前記第二の部分の少なくとも一部に放射線不透過性のマーカーを有し、前記マーカーは、血管造影法の画像の下で、前記分岐部に対する前記バルーンのアライメントの視覚化を可能にするように構成される、請求項２に記載の装置。
【請求項８】
前記放射線不透過性のマーカーは、前記第二の部分を取り囲むリングを有している、請求項７に記載の装置。
【請求項９】
前記バルーンの前記第一の部分を覆って取り付けられて、前記バルーンの膨張によって前記第一の血管中に配置されるようにされたステントを有し、
前記ステントは、前記第一の血管と第二の血管の間のアクセスを可能にするための半径方向の開口を有し、
前記バルーンの前記第二の部分は、前記ステントの前記半径方向の開口を介して、半径方向に突出するようにされている、請求項２に記載の装置。
【請求項１０】
前記ステントは、治療剤を溶出するようにされている請求項９に記載の装置。
【請求項１１】
前記膨張特性は、前記バルーンの前記第一の部分と前記第二の部分が、異なったそれぞれの一定のコンプライアンスを有するように、一定のコンプライアンスを有する、請求項１に記載の装置。
【請求項１２】
前記バルーンの前記第二の部分は、前記第一の部分の一部のコンプライアンスを抑制するように、前記バルーンの前記第一の部分の一部を覆って固定される、請求項１１に記載の装置。
【請求項１３】
前記第一の血管と前記第二の血管は、特有の第一の直径と第二の直径を有し、前記第一の直径は、前記第二の直径よりも大きくて、前記バルーンの前記第一の部分は、前記バルーンの膨張時に、前記第二の部分が前記第二の血管に配置される間に、前記第二の直径よりも大きな拡張された直径になるようにされる、請求項１に記載の装置。
【請求項１４】
前記バルーンの前記第一の部分は、前記バルーンが膨張されたときに前記バルーンの前記第二の部分の周りのカラーとして構成される、請求項１３に記載の装置。
【請求項１５】
前記バルーンの前記第一の部分は、前記バルーンの前記第二の部分の一部を囲む円錐曲線回転面を有する、請求項１４に記載の装置。
【請求項１６】
前記バルーンの前記第一の部分は、前記バルーンの膨張時に、小口に係合するようにされた、請求項１３に記載の装置。
【請求項１７】
前記バルーンの前記第二の部分を覆って取り付けられ、前記バルーンの膨張によって前記第二の血管中に配置されるようにされたステントを有し、
前記ステントは、前記第二の直径よりも大きなサイズに拡張されるようにされた近接端部を有しており、
前記バルーンの前記第一の部分は、前記近接端部を前記小口に対して固定するように、前記ステントの前記近接端部を拡張するようにされた、請求項１６に記載の装置。
【請求項１８】
前記ステントの前記近接端部は、前記第二の直径よりも大きなサイズに拡張されるように構成される複数のストラットを有する、請求項１７に記載の装置。
【請求項１９】
前記ステントは、治療剤を溶出するようにされた請求項１７に記載の装置。
【請求項２０】
前記バルーンの前記第二の部分を覆って取り付けられ、前記バルーンの前記第二の部分の膨張によって、前記第二の血管中に配置されるようにされたステントを有し、前記バルーンの前記第一の部分は、拡張されたときに、前記ステントを前記第二の血管に一直線にするのを補助するように、前記小口に対するストップとしての役目を果たすようにされた、請求項１６に記載の装置。
【請求項２１】
前記ステントは、治療剤を溶出するようにされた請求項２０に記載の装置。
【請求項２２】
前記バルーンの前記第一の部分と前記第二の部分の少なくとも一つは、前記バルーンの配置に使用されるガイドワイヤーに適合するために、貫通する内腔を有する、請求項１〜２１のいずれか一項に記載の装置。
【請求項２３】
前記バルーンの前記第一の部分と前記第二の部分の一つだけが、貫通する前記内腔を有する、請求項２２に記載の装置。
【請求項２４】
前記バルーンの前記第一の部分と前記第二の部分が、共通の膨張ポートを共用する、請求項１〜２１のいずれか一項に記載の装置。
【請求項２５】
前記バルーンの前記第一の部分と前記第二の部分は、別々のそれぞれの膨張ポートを有する、請求項１〜２１のいずれか一項に記載の装置。
【請求項２６】
第一の血管が第二の血管に交わる血管分岐部の治療のための装置であって、前記血管分岐部に配置するためのバルーンを有し、前記バルーンは、第一の膨張特性を有し前記第一の血管に配置されるようにされた第一の部分と、前記第一の膨張特性と異なる第二の膨張特性を有し前記第二の血管に配置されるようにされた第二の部分とを有し、
前記装置は、前記バルーンが連結される末端部を有し前記バルーンを前記分岐部に配置するために、前記第一の血管を貫通するようにされた、カテーテルを有する、装置。
【請求項２７】
血管内のバルーンを製造するための方法であって、第一の膨張特性を有するように前記バルーンの第一の部分を加工することと、前記第一の膨張特性と異なった、第二の膨張特性を有するように前記第一の部分と連結される前記バルーンの第二の部分を加工すること、とを有する方法。
【請求項２８】
前記バルーンの前記第二の部分を加工することは、前記第一の部分からの分岐部として前記第二の部分を加工することを有する、請求項２７に記載の方法。
【請求項２９】
前記バルーンが膨張されるときに、前記第一の部分が前記第二の部分の周りのカラーを形成するように、前記バルーンの前記第二の部分を加工する、請求項２７に記載の方法。
【請求項３０】
前記第一の膨張特性と前記第二の膨張特性はそれぞれ、異なった一定の第一のコンプライアンスと第二のコンプライアンスを有する、請求項２７に記載の方法。
【請求項３１】
前記バルーンの前記第二の部分を加工することは、前記第一の部分の一部のコンプライアンスを抑制するために、前記バルーンの前記第一の部分の一部を覆ってスリーブを固定することを有する、請求項３０に記載の方法。
【請求項３２】
前記バルーンの前記第一の部分と前記第二の部分の少なくとも一つを覆ってステントを取り付けることを有する、請求項２７に記載の方法。
【請求項３３】
前記バルーンの前記第一の部分と前記第二の部分を加工することは、分岐された型を使用する射出成形によって、前記第一の部分と前記第二の部分の少なくとも一つを加工することを有する、請求項２７に記載の方法。
【請求項３４】
前記バルーンの前記第一の部分と前記第二の部分を加工することは、分岐された型を使用する射出成形によって、前記第一の部分と前記第二の部分の少なくとも一つを加工することを有する、請求項２７に記載の方法。
【請求項３５】
前記分岐された型は、伸縮自在の型を有する、請求項３４に記載の方法。
【請求項３６】
前記第一の部分と前記第二の部分の少なくとも一つを加工することは、材料を前記分岐された型に導くように、吸引と傾斜ピンの少なくとも一つを使用することを有する、請求項３４に記載の方法。
【請求項３７】
前記バルーンの前記第一の部分と前記第二の部分を加工することは、液体ポリマーに分岐された型を浸すことによって、第一の部分と第二の部分を加工することを有する、請求項２７に記載の方法。
【請求項３８】
前記バルーンの前記第一の部分と前記第二の部分を加工することは、前記バルーンの前記第一の部分を加工することと、その後、前記第二の部分を形成するために、前記第一の部分の領域に局所的な処置を適用すること、とを有する請求項２７に記載の方法。
【請求項３９】
血管のステントは、小口に近接した位置の、所定の直径の血管中に配置されて、拡張するようにされた末端領域と、
前記小口に対して、前記近接領域を固定するように、前記所定の直径より大きなサイズに、前記小口に対して拡張されるようにされた近接領域と、を有するステント。
【請求項４０】
前記ステントの前記末端領域は、前記ステントの周囲に沿う、第一の数のストラットを有し、前記ステントの前記近接領域は、前記第一の数よりも多い、第二の数の前記ストラットを有する、請求項３９に記載のステント。
【請求項４１】
前記近接領域は、前記小口に係合するために外側に曲がるように構成された複数のストラットを有する、請求項３９に記載のステント。
【請求項４２】
前記末端領域と前記近接領域の少なくとも一つは、治療剤を溶出するようにされた、請求項３９〜４１のいずれか一項に記載のステント。
【請求項４３】
第一の血管が第二の血管に交わる血管分岐部の治療のための装置であって、前記装置は、前記血管分岐部に配置するためのバルーンを有し、
前記バルーンは、前記第一の血管に配置されるようにされた第一の部分と、
前記バルーンが膨張されたときに、前記バルーンを前記血管分岐部に容易に一直線にするための前記第一の部分から半径方向に突出するようにされた第二の部分と、を有する装置。
【請求項４４】
前記バルーンの前記第一の部分を覆って取り付けられて、前記バルーンの膨張によって、前記第一の血管中に配置されるようにされたステントを有し、
前記ステントは、前記第一の血管と前記第二の血管間のアクセスを可能にするために、半径方向の開口を有し、前記バルーンの前記第二の部分は、前記ステント中の前記半径方向の開口を介して半径方向に突出するようにされた、請求項４３に記載の装置。
【請求項４５】
前記ステントは、前記半径方向の開口を覆うストラットを有し、前記バルーンの前記第二の部分は、前記バルーンが膨張されたときに、前記ストラットが外側に開くようにされた、請求項４４に記載の装置。
【請求項４６】
前記第二の部分の少なくとも一部に放射線不透過性のマーカーを有し、前記マーカーは、血管造影法の画像の下で、前記分岐部に対して、前記バルーンのアライメントの視覚化を可能にするように構成された、請求項４３〜４５のいずれか一項に記載の装置。
【請求項４７】
第一の血管が第二の血管に交わる血管分岐部の治療のための装置であって、前記第一の血管と前記第二の血管は、特有の第一の直径と第二の直径を有し、前記第一の直径は、前記第二の直径よりも大きくて、前記装置は、前記血管分岐部で配置されるためのバルーンを有し、前記バルーンは、前記第二の血管に配置されるようにされた内側部分と、前記バルーンの膨張時に前記第二の部分が前記第二の血管に配置される間に、前記第二の直径よりも大きな拡張された直径になるようにされた内側部分を囲むカラーと、を有する装置。
【請求項４８】
前記カラーは、前記バルーンの前記内側部分の一部を囲む円錐曲線回転面を有する、請求項４７に記載の装置。
【請求項４９】
前記カラーは、前記バルーンの膨張時に、小口に係合するようにされる、請求項４７または４８に記載の装置。
【請求項５０】
前記バルーンの前記内側部分を覆って取り付けられて、前記バルーンの膨張によって、前記第二の血管中に配置されるようにされたステントを有し、前記ステントは、前記第二の直径よりも大きなサイズに拡張されるようにされた近接端部を有し、前記カラーは、前記小口に対して前記近接端部を固定するように、前記ステントの前記近接端部を拡張するようにされた、請求項４９に記載の装置。
【請求項５１】
前記バルーンの前記内側部分を覆って取り付けられ、前記バルーンの前記第二の部分の膨張によって、前記第二の血管中に配置されるようにされたステントを有し、前記カラーは、拡張されたときに、前記ステントを前記第二の血管に一直線にするのを補助するように、前記小口に対するストップとしての役目を果たすようにされた、請求項４９に記載の装置。